【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
直流電源とモータ間に設けた電源用スイッチと、前記モータと直列に接続したスイッチング素子と、前記スイッチング素子に並列に接続した短絡用スイッチと、モータを停止させるモータブレーキスイッチと、前記スイッチング素子を駆動させる駆動部と、トリガーが引き込まれたときに前記スイッチング素子のゲートに電圧を供給する制御スイッチと、トリガーを引き込んだときに直流電源を前記駆動部に供給する補助スイッチと、を具備するトリガースイッチ回路であって、
前記電源用スイッチと、前記短絡用スイッチと、前記モータブレーキスイッチと、前記制御スイッチと、前記補助スイッチの五者を前記トリガーと連動して動作する構成にし、
前記トリガーが引き込まれたときに、前記補助スイッチをオンにして前記駆動部に電源を供給し、
更に、トリガーが引き込まれたときに、前記電源用スイッチをオンに制御して前記モータに電源を供給し、
更に、トリガーが引き込まれたときに、前記制御スイッチをオンに制御して抵抗を介した電圧を前記スイッチング素子のゲートに供給するように制御し、
更に、トリガーが引き込まれたときに、前記制御スイッチのオン状態を直流電源を直接供給する位置にして、前記スイッチング素子のゲートに直流電源を直接供給することで、前記スイッチング素子を１００％導通できる状態にし、
更に、トリガーを引き込むことで、前記短絡スイッチをオンに制御するようにしたことを特徴とするトリガースイッチ回路。
【請求項２】
前記補助スイッチがオンしたときに、発光手段に電源を供給するようにしたことを特徴とする請求項１に記載のトリガースイッチ回路。
【請求項３】
前記補助スイッチと制御スイッチを構成する摺動子は一つのスイッチ摺動子を用いたことを特徴とする請求項１に記載のトリガースイッチ回路。
【請求項４】
基準信号を出力する基準信号出力手段と、
操作レバーの操作具合に基づいて所定の操作信号を出力する操作信号出力手段と、
モータと直列に接続され、モータの回転制御をするスイッチング素子と、
前記基準信号出力手段からの基準信号を一方の入力端子に入力し、前記操作信号出力手段からの操作信号を他方の入力端子に入力し、その入力された信号を比較して所定の制御信号を前記スイッチング素子に供給してスイッチング素子をオン／オフ制御するコンパレータと、を備えたトリガースイッチ回路であって、
前記操作信号出力手段は、電源と接地間に直列に抵抗Ｒａ、可変抵抗Ｒｃ、抵抗Ｒｅを接続し、前記可変抵抗Ｒｃに並列に抵抗Ｒｂを接続し、可変接触子７２と摺動接触子７１を跨いで電気的に接続する回転制御摺動子２２ａを備え、前記可変接触子７２の開始位置と回転制御摺動子２２ａに接続されている抵抗Ｒｄの出力側の間に高速回転用のスイッチＳＷ６を備えたことを特徴とするトリガースイッチ回路。
【請求項５】
操作部１１に連関して接触子７３、７４上で工具のオンオフスイッチ作動可能なスイッチ摺動子２２ｂを有するスイッチと、
一つの電源Ｅによって供給される供給電源と、を備え、
制御接触子７３は電源Ｅに接続され、
スイッチ摺動子２２ｂが制御接触子７３から離反していれば制御部に供給電流を供給せず、
前記スイッチ摺動子２２ｂが直列に配置した制御接触子７３及び補助接触子７４に跨いだ状態で電気接触していれば制御部に供給電流を供給する電動工具において、
前記スイッチは、回転制御摺動子２２ａが摺動する直列に配置した摺動接触子７１及び可変接触子７２を備え、
前記操作部１１の動作で、前記回転制御摺動子２２ａが摺動接触子７１及び可変接触子７２に跨いだ状態で電気接触して電気抵抗値を変化させ、
前記操作部１１が動作ストロークの間に、前記スイッチ摺動子２２ｂが前記制御接触子７３及び補助接触子７４に電気接触を維持して制御部に供給電源を供給すると共に、
前記操作部１１の引込み操作で、
前記スイッチ摺動子２２ｂが前記制御接触子７３及び補助接触子７４に電気接触する位置が、前記回転制御摺動子２２ａが前記摺動接触子７１及び可変接触子７２に電気接触して電気抵抗値を変化させる位置の手前に配置したことを特徴とする電動工具。
【請求項６】
前記制御接触子７３と直列に補助接触子７４を配置し、その上をスイッチ摺動子２２ｂが跨ぐようにして補助接触子７４を制御接触子７４に電気的に接続して制御部に供給電源を供給することを特徴とする請求項５に記載の電動工具。
【請求項７】
直列に配置した摺動接触子７１及び可変接触子７２上を前記回転制御摺動子２２ａが摺動して電気抵抗値を直線的に変換することを特徴とする請求項５に記載の電動工具。
【請求項８】
前記スイッチ摺動子２２ｂ及び回転制御摺動子２２ａは、操作部１１に連関して動くことを特徴とする請求項５に記載の電動工具。
【請求項９】
前記可変接触子７２と隣接した位置に補助接触子７４を備えると共に、前記回転制御摺動子２２ａがスイッチ摺動子２２ｂに隣接して配置されていることを特徴とする請求項５に記載の電動工具。
【請求項１０】
操作部１１に連関して接触子７３、７４上で工具のオンオフスイッチ作動可能なスイッチ摺動子２２ｂを有するスイッチであって、
スイッチ摺動子２２ｂが制御接触子７３から離反していれば制御部に供給電流を供給せず、
前記スイッチ摺動子２２ｂが直列に配置した制御接触子７３及び補助接触子７４に跨いだ状態で電気接触していれば制御部に供給電流を供給し、
前記スイッチは、回転制御摺動子２２ａが摺動する直列に配置した摺動接触子７１及び可変接触子７２を備え、
前記操作部１１の操作で、前記回転制御摺動子２２ａが摺動接触子７１及び可変接触子７２に跨いだ状態で電気接触して電気抵抗値を変化させ、
前記操作部１１が動作ストロークの間に、前記スイッチ摺動子２２ｂが前記制御接触子７３及び補助接触子７４に電気接触を維持して制御部に供給電源を供給すると共に、
前記操作部１１の引込み操作で、
前記スイッチ摺動子２２ｂが前記制御接触子７３及び補助接触子７４に電気接触する位置が、前記回転制御摺動子２２ａが前記摺動接触子７１及び可変接触子７２に電気接触して電気抵抗値を変化させる位置の手前に配置したことを特徴とするトリガースイッチ。
【手続補正２】
【補正対象書類名】明細書
【補正対象項目名】発明の名称
【補正方法】変更
【補正の内容】
【発明の名称】トリガースイッチ回路及び電動工具並びにトリガースイッチ
【手続補正３】
【補正対象書類名】明細書
【補正対象項目名】０００８
【補正方法】変更
【補正の内容】
【０００８】
上記課題を解決するために、本願発明のトリガースイッチ回路及び電動工具並びにトリガースイッチは、次に示す構成にすることである。
【手続補正４】
【補正対象書類名】明細書
【補正対象項目名】０００９
【補正方法】変更
【補正の内容】
【０００９】
（１）トリガースイッチ回路は、直流電源とモータ間に設けた電源用スイッチと、前記モータと直列に接続したスイッチング素子と、前記スイッチング素子に並列に接続した短絡用スイッチと、モータを停止させるモータブレーキスイッチと、前記スイッチング素子を駆動させる駆動部と、トリガーが引き込まれたときに前記スイッチング素子のゲートに電圧を供給する制御スイッチと、トリガーを引き込んだときに直流電源を前記駆動部に供給する補助スイッチと、を具備するトリガースイッチ回路であって、前記電源用スイッチと、前記短絡用スイッチと、前記モータブレーキスイッチと、前記制御スイッチと、前記補助スイッチの五者を前記トリガーと連動して動作する構成にし、前記トリガーが引き込まれたときに、前記補助スイッチをオンにして前記駆動部に電源を供給し、更に、トリガーが引き込まれたときに、前記電源用スイッチをオンに制御して前記モータに電源を供給し、更に、トリガーが引き込まれたときに、前記制御スイッチをオンに制御して抵抗を介した電圧を前記スイッチング素子のゲートに供給するように制御し、更に、トリガーが引き込まれたときに、前記制御スイッチのオン状態を直流電源を直接供給する位置にして、前記スイッチング素子のゲートに直流電源を直接供給することで、前記スイッチング素子を１００％導通できる状態にし、更に、トリガーを引き込むことで、前記短絡スイッチをオンに制御するようにしたことである。
（２）前記補助スイッチがオンしたときに、発光手段に電源を供給するようにしたことを特徴とする（１）に記載のトリガースイッチ回路。
（３）前記補助スイッチと制御スイッチを構成する摺動子は一つのスイッチ摺動子を用いたことを特徴とする（１）に記載のトリガースイッチ回路。
（４）トリガースイッチ回路は、基準信号を出力する基準信号出力手段と、操作レバーの操作具合に基づいて所定の操作信号を出力する操作信号出力手段と、モータと直列に接続され、モータの回転制御をするスイッチング素子と、前記基準信号出力手段からの基準信号を一方の入力端子に入力し、前記操作信号出力手段からの操作信号を他方の入力端子に入力し、その入力された信号を比較して所定の制御信号を前記スイッチング素子に供給してスイッチング素子をオン／オフ制御するコンパレータと、を備えたトリガースイッチ回路であって、前記操作信号出力手段は、電源と接地間に直列に抵抗Ｒａ、可変抵抗Ｒｃ、抵抗Ｒｅを接続し、前記可変抵抗Ｒｃに並列に抵抗Ｒｂを接続し、可変接触子７２と摺動接触子７１を跨いで電気的に接続する回転制御摺動子２２ａを備え、前記可変接触子７２の開始位置と回転制御摺動子２２ａに接続されている抵抗Ｒｄの出力側の間に高速回転用のスイッチＳＷ６を備えたことである。
（５）電動工具は、操作部１１に連関して接触子７３、７４上で工具のオンオフスイッチ作動可能なスイッチ摺動子２２ｂを有するスイッチと、一つの電源Ｅによって供給される供給電源と、を備え、制御接触子７３は電源Ｅに接続され、スイッチ摺動子２２ｂが制御接触子７３から離反していれば制御部に供給電流を供給せず、前記スイッチ摺動子２２ｂが直列に配置した制御接触子７３及び補助接触子７４に跨いだ状態で電気接触していれば制御部に供給電流を供給する電動工具において、前記スイッチは、回転制御摺動子２２ａが摺動する直列に配置した摺動接触子７１及び可変接触子７２を備え、前記操作部１１の動作で、前記回転制御摺動子２２ａが摺動接触子７１及び可変接触子７２に跨いだ状態で電気接触して電気抵抗値を変化させ、前記操作部１１が動作ストロークの間に、前記スイッチ摺動子２２ｂが前記制御接触子７３及び補助接触子７４に電気接触を維持して制御部に供給電源を供給すると共に、前記操作部１１の引込み操作で、前記スイッチ摺動子２２ｂが前記制御接触子７３及び補助接触子７４に電気接触する位置が、前記回転制御摺動子２２ａが前記摺動接触子７１及び可変接触子７２に電気接触して電気抵抗値を変化させる位置の手前に配置したことである。
（６）前記制御接触子７３と直列に補助接触子７４を配置し、その上をスイッチ摺動子２２ｂが跨ぐようにして補助接触子７４を制御接触子７４に電気的に接続して制御部に供給電源を供給することを特徴とする（５）に記載の電動工具。
（７）直列に配置した摺動接触子７１及び可変接触子７２上を前記回転制御摺動子２２ａが摺動して電気抵抗値を直線的に変換することを特徴とする（５）に記載の電動工具。
（８）前記スイッチ摺動子２２ｂ及び回転制御摺動子２２ａは、操作部１１に連関して動くことを特徴とする（５）に記載の電動工具。
（９）前記可変接触子７２と隣接した位置に補助接触子７４を備えると共に、前記回転制御摺動子２２ａがスイッチ摺動子２２ｂに隣接して配置されていることを特徴とする（５）に記載の電動工具。
（１０）トリガースイッチは、操作部１１に連関して接触子７３、７４上で工具のオンオフスイッチ作動可能なスイッチ摺動子２２ｂを有するスイッチであって、スイッチ摺動子２２ｂが制御接触子７３から離反していれば制御部に供給電流を供給せず、前記スイッチ摺動子２２ｂが直列に配置した制御接触子７３及び補助接触子７４に跨いだ状態で電気接触していれば制御部に供給電流を供給し、前記スイッチは、回転制御摺動子２２ａが摺動する直列に配置した摺動接触子７１及び可変接触子７２を備え、前記操作部１１の操作で、前記回転制御摺動子２２ａが摺動接触子７１及び可変接触子７２に跨いだ状態で電気接触して電気抵抗値を変化させ、前記操作部１１が動作ストロークの間に、前記スイッチ摺動子２２ｂが前記制御接触子７３及び補助接触子７４に電気接触を維持して制御部に供給電源を供給すると共に、前記操作部１１の引込み操作で、前記スイッチ摺動子２２ｂが前記制御接触子７３及び補助接触子７４に電気接触する位置が、前記回転制御摺動子２２ａが前記摺動接触子７１及び可変接触子７２に電気接触して電気抵抗値を変化させる位置の手前に配置したことである。